(57)【要約】  【課題】  衣類の脱水を洗濯兼脱水槽の高速回転によって行なう洗濯機において、脱水行程にて、洗濯兼脱水槽内の空気を自然循環させることで、温風手段を設けることなく衣類を乾燥するとともに、部品点数を削減して組み立て性を向上し、デザイン性に優れた洗濯機を提供する。  【解決手段】  外槽３内に洗濯兼脱水槽１を回転自在に配設し、外槽３を洗濯機本体６内に防振支持し、洗濯機本体６の上部に上部枠体１６を設け、上部枠体１６に蓋体１８を開閉自在に配設する。蓋体１８は、後方に複数の長円形状または長方形状の送風用通気口１９を一体に設ける。【選択図】  図１
2005040317.tif 000002
【特許請求の範囲】
【請求項１】
外槽内に回転自在に配設した洗濯兼脱水槽と、前記外槽を防振支持する洗濯機本体と、前記洗濯機本体の上部に設けた上部枠体と、前記上部枠体に開閉自在に配設した蓋体とを備え、前記蓋体は、後方に複数の長円形状または長方形状の送風用通気口を一体に設けた洗濯機。
【請求項２】
蓋体は、送風用通気口の表面より一段下にコイン落下防止用のリブを前記送風用通気口と直角方向に２０ｍｍ以下の間隔で設けた請求項１記載の洗濯機。
【請求項３】
蓋体は、コイン落下防止用のリブを一体に設けた請求項２記載の洗濯機。
【請求項４】
蓋体は、送風用通気口周辺の裏面側にリブを設けた請求項１〜３のいずれか１項に記載の洗濯機。
【請求項５】
蓋体は、送風用通気口の周辺の上方にシルク印刷などの印刷を施した請求項１〜４のいずれか１項に記載の洗濯機。
【請求項６】
シルク印刷は、複数の模様、色彩で施し可能とした請求項５記載の洗濯機。
【請求項７】
シルク印刷で裏面の蓋軸の強度リブを隠した請求項５または６記載の洗濯機。
【発明の詳細な説明】
【技術分野】
【０００１】
本発明は、衣類の脱水を洗濯兼脱水槽の高速回転によって行なう洗濯機に関するものである。
【背景技術】
【０００２】
従来、洗濯機は、図６に示すように構成していた。以下、その構成について説明する。
【０００３】
図６に示すように、洗濯兼脱水槽１は、底面に撹拌翼２を回転自在に配設し、この洗濯兼脱水槽１の外側に外槽３を設けている。外槽３の底面には洗濯兼脱水槽１と撹拌翼２を駆動するモータ４を取りつけ、駆動部の切り替えを行うクラッチ装置５を介して洗濯兼脱水槽１または撹拌翼２を駆動するように構成している。また、外槽３は、洗濯機本体６にサスペンション７を介して防振支持している。洗濯兼脱水槽１の上部には、液体を内封した流体バランサー８を固定し、外槽３の上面は、外槽カバー９によって覆われている。
【０００４】
外槽３を支持している洗濯機本体６の上部は、制御装置１０、給水弁１１、給水経路１２等を収納した上部枠体１３によって覆われている。上部枠体１３の略中央には、衣類の出し入れを行う穴部を有し、この穴部には、蓋体１４を開閉自在に配設している。また、高圧温風送風手段１５は上部枠体１３に覆われ洗濯兼脱水槽１に温風を吹き込む送風手段である。
【０００５】
上記構成において、洗濯行程では、洗濯兼脱水槽１内に投入された洗濯物（衣類等）の量に適した水量を給水弁１１から給水経路１２を通して外槽３に供給する。上部枠体１３内には高圧温風送風手段１５を収容し、洗濯兼脱水槽１内に洗濯物を投入し、運転を開始すると、制御装置１０によりモータ４、給水弁１１などの動作を制御し、洗濯、すすぎ、脱水の一連の行程を逐次制御し、洗濯物を洗濯した後、すすぎ、脱水する。
【０００６】
脱水行程終了後、制御装置１０は高圧温風送風手段１５を制御し、洗濯兼脱水槽１内に温風を送ると同時に、モータ４の動力によって撹拌翼２を回転させ、衣類に遠心力をあたえ、この遠心力によって衣類は脱水槽５の上方へはね上げられる。これによって衣類を攪拌し、高圧温風送風手段１５によって乾燥する（例えば、特許文献１参照）。
【特許文献１】特開平９−７７４号公報
【発明の開示】
【発明が解決しようとする課題】
【０００７】
このような従来の構成では、脱水行程終了後、モータ４の動力によって撹拌翼２を回転させ、衣類に遠心力をあたえ、この遠心力によって衣類を重力に逆らってはね上げるため、ある程度強い遠心力が必要となる。このため、急速に加速された衣類は洗濯兼脱水槽１の壁面と摩擦し、さらに撹拌翼２の回転運動のため衣類がねじれ易く、しわや傷みの原因となり、さらに、上部枠体１３内に高圧温風送風手段１５を収容するため上部枠体１３が大きくなってデザイン性を失うとともに、高圧温風送風手段１５を駆動させるために消費電力量が増加する原因となっていた。
【０００８】
本発明は上記従来の課題を解決するもので、脱水行程にて、洗濯兼脱水槽内の空気を自然循環させることで、温風手段を設けることなく衣類を乾燥するとともに、部品点数を削減して組み立て性を向上し、デザイン性に優れた洗濯機を提供することを目的としている。
【課題を解決するための手段】
【０００９】
本発明は上記目的を達成するために、外槽内に洗濯兼脱水槽を回転自在に配設し、外槽を洗濯機本体内に防振支持し、洗濯機本体の上部に上部枠体を設け、上部枠体に蓋体を開閉自在に配設し、蓋体は、後方に複数の長円形状または長方形状の送風用通気口を一体に設けたものである。
【００１０】
これにより、脱水行程にて、洗濯兼脱水槽内の空気を自然循環させることができて、温風手段を設けることなく衣類を乾燥できるとともに、部品点数を削減できて組み立て性を向上することができ、デザイン性に優れた洗濯機を提供することができる。
【発明の効果】
【００１１】
以上のように本発明の請求項１に記載の発明によれば、洗濯機本体の上部に設けた上部枠体に蓋体を開閉自在に配設し、蓋体は、後方に複数の長円形状または長方形状の送風用通気口を一体に設けたから、脱水行程にて、洗濯兼脱水槽内の空気を自然循環させることができて、温風手段を設けることなく衣類を乾燥できるとともに、部品点数を削減できて組み立て性を向上することができ、デザイン性に優れた洗濯機を提供することができる。
【発明を実施するための最良の形態】
【００１２】
本発明の請求項１に記載の発明は、外槽内に回転自在に配設した洗濯兼脱水槽と、前記外槽を防振支持する洗濯機本体と、前記洗濯機本体の上部に設けた上部枠体と、前記上部枠体に開閉自在に配設した蓋体とを備え、前記蓋体は、後方に複数の長円形状または長方形状の送風用通気口を一体に設けたものであり、脱水行程にて、洗濯兼脱水槽を回転させることで、洗濯兼脱水槽内の湿った空気を自然循環させることができ、温風手段を設けることなく衣類を効率よく乾燥することができるとともに、送風用通気口を蓋体に一体に設けることにより部品点数を削減できて組み立て性を向上することができ、デザイン性に優れた洗濯機を提供することができる。
【００１３】
請求項２に記載の発明は、上記請求項１に記載の発明において、蓋体は、送風用通気口の表面より一段下にコイン落下防止用のリブを前記送風用通気口と直角方向に２０ｍｍ以下の間隔で設けたものであり、洗濯兼脱水槽内に一円コインなどのコインが入るのを防止できるとともに、表面より一段下にリブを設けることにより外観から見えにくい構成とすることができてデザイン性を高めることができる。
【００１４】
請求項３に記載の発明は、上記請求項２に記載の発明において、蓋体は、コイン落下防止用のリブを一体に設けたものであり、部品点数を削減できて組み立て性を向上することができるとともに、デザイン性に優れた洗濯機を提供することができる。
【００１５】
請求項４に記載の発明は、上記請求項１〜３に記載の発明において、蓋体は、送風用通気口周辺の裏面側にリブを設けたものであり、送風用通気口を設けることによる強度の減少を防ぐことができる。
【００１６】
請求項５に記載の発明は、上記請求項１〜４に記載の発明において、蓋体は、送風用通気口の周辺の上方にシルク印刷などの印刷を施したものであり、送風用通気口を目立たなくすることができ、デザイン性に優れた洗濯機を提供することができる。
【００１７】
請求項６に記載の発明は、上記請求項５に記載の発明において、シルク印刷は、複数の模様、色彩で施し可能としたものであり、多数の機種の蓋体の外観を構成できるとともに、各機種のデザイン性を向上することができ、また、機種展開を容易にすることができる。
【００１８】
請求項７に記載の発明は、上記請求項５または６に記載の発明において、シルク印刷で裏面の蓋軸の強度リブを隠したものであり、透明部材を使用したとしてもデザイン性を損ねることなく外観を構成できる。
【実施例１】
【００１９】
以下、本発明の実施例について、図面を参照しながら説明する。なお、従来例と同じ構成のものは同一符号を付して説明を省略する。
【００２０】
（実施例１）
図１に示すように、上部枠体１６は、洗濯機本体６の上部を覆い、給水弁１１、給水経路１２、制御装置１７等を収納している。この上部枠体１６の略中央には、衣類の出し入れを行う穴部を有し、この穴部を開閉自在に覆うように蓋体１８を配設している。蓋体１８は、図２に示すように、前部蓋体１８ａと後部蓋体１８ｂとを連結して構成し、後部蓋体１８ｂの後方に複数の長方形状の送風用通気口１９を一体に設けている。制御装置１７は、モータ４、給水弁１１などの動作を制御し、洗濯、すすぎ、脱水の一連の行程を逐次制御し、脱水行程での脱水時間を長く（例えば、１時間）するよう構成している。他の構成は従来例と同じである。
【００２１】
上記構成において動作を説明する。洗濯兼脱水槽１内に洗濯物を投入し、運転を開始すると、制御装置１０によりモータ４、給水弁１１などの動作を制御し、洗濯、すすぎ、脱水の一連の行程を逐次制御し、洗濯物を洗濯した後、すすぎ、脱水する。
【００２２】
この脱水行程において、洗濯兼脱水槽１の回転により遠心力を受けた衣類は、洗濯兼脱水槽１内で外周方向に広がり中心部に隙間を生じる。一方、洗濯兼脱水槽１の回転により自然循環風を発生し、この自然循環風は洗濯兼脱水槽１の中心部に生じた隙間に向かって、蓋体１８の送風用通気口１９から入り、一旦洗濯兼脱水槽１の底部に激しく衝突した後、上方へ巻き上がる風の流れを生じた後、洗濯兼脱水槽１の内壁に付着した衣類を通って洗濯兼脱水槽１外へ排出される。このため、風の流れが衣類の奥まで入り込み、効率的に乾燥を促進することができ、脱水行程での脱水時間を長くすることにより、衣類を乾燥することができる。
【００２３】
その後、制御装置１７によりモータ４を駆動して、クラッチ装置５を介して撹拌翼２を正逆回転させ、洗濯兼脱水槽１の内壁に付着した衣類洗濯兼脱水槽１より剥す。その後、再度洗濯兼脱水槽１を回転させることにより自然循環風を発生させ、さらに衣類を乾燥することができる。
【００２４】
ここで、洗濯兼脱水槽１の回転により発生する自然循環風が通過する蓋体１８の送風用通気口１９は、蓋体１８に一体に設けているので、部品点数を削減することができ、組み立て性を向上できるとともに、デザイン性に優れたシンプル洗濯機を提供することができる。
【００２５】
なお、本実施例では、送風用通気口１９は長方形状としているが、長円形状であってもよく、同様の作用、効果を得ることができる。
【００２６】
（実施例２）
図３（ａ）に示すように、蓋体２０は、上記実施例１と同様に、上部枠体（図示せず）の略中央に設けた穴部を開閉自在に覆うもので、前部蓋体２０ａと後部蓋体２０ｂとを連結して構成し、後部蓋体２０ｂの後方に複数の長方形状の送風用通気口２１を一体に設けている。この送風用通気口２１の表面より一段下に、図３（ｂ）（ｃ）に示すように、コイン落下防止用のリブ２２を送風用通気口２１と直角方向に２０ｍｍ以下の間隔で設けている。他の構成は上記実施例１と同じである。
【００２７】
上記構成において作用を説明する。なお、脱水行程において、洗濯兼脱水槽の回転により発生した自然循環風により衣類を乾燥する動作は上記実施例１と同じであるので説明を省略する。
【００２８】
蓋体２０を上部枠体に取り付けた状態で、１円コインなどの異物を蓋体２０の送風用通気口２１に落としたとしても、コイン落下防止用のリブ２２により洗濯兼脱水槽内へのコインなどの異物混入を防ぐことができる。このとき、リブ２２の構成はねじ止め、嵌合方式、あるいは溶着のどれであっても、同様の効果を得ることができる。
【００２９】
また、コイン落下防止用のリブ２２を送風用通気口２１の表面より一段下に設けることにより、外観から見えにくい構成とすることができて、デザイン性に優れた外観を構成できる。
【００３０】
また、コイン落下防止のリブ２２を蓋体２０に一体に設けることにより、部品点数を削減することができ、組み立て性を向上できるとともに、デザイン性に優れたシンプルな蓋体２０を形成することができる。
【００３１】
（実施例３）
図４（ａ）に示すように、蓋体２３は、上記実施例１と同様に、上部枠体（図示せず）略中央に設けた穴部を開閉自在に覆うもので、前部蓋体（図示せず）と後部蓋体２３ｂとを連結して構成し、後部蓋体２３ｂの後方に複数の長方形状の送風用通気口２４を一体に設けている。この送風用通気口２４の表面より一段下に、図４（ｂ）、（ｃ）に示すように、コイン落下防止用のリブ２５を送風用通気口２４と直角方向に２０ｍｍ以下の間隔で設けるとともに、送風用通気口２４周辺の裏面側にリブ２６を設けている。他の構成は上記実施例１と同じである。
【００３２】
上記構成において作用を説明する。なお、脱水行程において、洗濯兼脱水槽の回転により発生した自然循環風により衣類を乾燥する動作は上記実施例１と同じであるので説明を省略する。
【００３３】
送風用通気口２４周辺の裏面側にリブ２６を設けているので、蓋体２３に送風用通気口２４を設けることによる強度の減少を防ぐことができる。
【００３４】
（実施例４）
図５（ａ）に示すように、蓋体２７は、上記実施例１と同様に、上部枠体（図示せず）略中央に設けた穴部を開閉自在に覆うもので、前部蓋体（図示せず）と後部蓋体２７ｂとを連結して構成し、後部蓋体２７ｂの後方に複数の長方形状の送風用通気口２８を一体に設けている。この送風用通気口２８の周辺の上方にシルク印刷２９（斜線で示す）などの印刷を施している。また、このシルク印刷２９は、複数の模様、色彩で施し可能としている。他の構成は上記実施例１と同じである。
【００３５】
上記構成において作用を説明する。なお、脱水行程において、洗濯兼脱水槽の回転により発生した自然循環風により衣類を乾燥する動作は上記実施例１と同じであるので説明を省略する。
【００３６】
送風用通気口２８の周辺の上方にシルク印刷２９を施しているので、送風用通気口２８を目立たなくすることができ、デザイン性に優れた蓋体２７を構成できて、デザイン性に優れた洗濯機を提供することができる。
【００３７】
また、シルク印刷２９は、複数の模様、色彩で施し可能としたので、多数の機種の蓋体の外観を構成できるとともに、各機種のデザイン性を向上することができ、また、機種展開を容易にすることができる。
【００３８】
また、図５（ｂ）に示すように、シルク印刷２９で裏面の蓋軸の強度リブ３０を隠した構成とすることで、蓋体２７に透明部材を使用したとしてもデザイン性を損ねることなく外観を構成できる。
【図面の簡単な説明】
【００３９】
【図１】本発明の第１の実施例の洗濯機の断面図
【図２】同洗濯機の蓋体の斜視図
【図３】（ａ）本発明の第２の実施例の洗濯機の蓋体の斜視図（ｂ）同洗濯機の蓋体の要部拡大斜視図（ｃ）同洗濯機の蓋体のＡ−Ａ線断面図
【図４】（ａ）本発明の第３の実施例の洗濯機の蓋体の斜視図（ｂ）同洗濯機の蓋体の要部拡大斜視図（ｃ）同洗濯機の蓋体のＢ−Ｂ線断面図
【図５】（ａ）本発明の第４の実施例の洗濯機の蓋体の斜視図（ｂ）同洗濯機の蓋体の要部拡大上面図
【図６】従来の洗濯機の断面図
【符号の説明】
【００４０】
１  洗濯兼脱水槽
３  外槽
６  洗濯機本体
１６  上部枠体
１８  蓋体
１９  送風用通気口
【図１】
2005040317.tif 000003
【図２】
2005040317.tif 000004
【図３】
2005040317.tif 000005
【図４】
2005040317.tif 000006
【図５】
2005040317.tif 000007
【図６】
2005040317.tif 000008